(57)【特許請求の範囲】
【請求項１】
縦長形状の筐体を有し通常運転される状態では長手方向を上下方向に設置し重心が下方にある空気調和機と、前記空気調和機に取り付けられた包装体と、前記空気調和機の上部側の前記包装体に設けられ前記空気調和機に前記包装体が取り付けられた状態で倒置できないように前記包装体より外部に突出させた突出部と、を備えたことを特徴とする空気調和機の包装装置。
【請求項２】
前記包装体は上面と下面と４つの周囲壁を有し、前記突出部は上面に突出させ前記４つの周囲壁のうちの１面あるいは隣り合う２面の近傍に設けられたことを特徴とする請求項１に記載の空気調和機の包装装置。
【請求項３】
前記突出部は、前記包装体に複数設けられるとともに、略直線上に配置されたことを特徴とする請求項１または２に記載の空気調和機の包装装置。
【請求項４】
前記包装体は、前記空気調和機を前記空気調和機の上下方向を横向きに載置し固定する設置台を有することを特徴とする請求項１乃至３のいずれかに記載の空気調和機の包装装置。
【請求項５】
前記設置台は、複数の上面板状部材を前記設置台に載置される前記空気調和機の上下方向と平行に並べて構成した上面デッキと、複数の下面板状部材を前記空気調和機の上下方向と平行に並べて構成した下面デッキと、前記上面デッキと前記下面デッキを平行に接続する複数のけた材とから構成され、前記上面デッキ上に前記空気調和機を載置することを特徴とする請求項４に記載の空気調和機の包装装置。
【請求項６】
前記突出部は、前記設置台の前記下面デッキを構成する前記下面板状部材のうち少なくとも１つが前記空気調和機の上下方向に設けられた前記上面デッキの側面より外側に延出され構成されたことを特徴とする請求項５に記載の空気調和機の包装装置。
【請求項７】
前記突出部は、前記設置台の前記上面デッキを構成する前記上面板状部材のうち少なくとも１つが前記空気調和機の上下方向に設けられた前記下面デッキの側面より外側に延出され構成されたことを特徴とする請求項５に記載の空気調和機の包装装置。
【請求項８】
前記突出部は、前記突出部を下向きに載置すると転倒する突出量を有することを特徴とする請求項１乃至７のいずれかに記載の空気調和機の包装装置。
【請求項９】
前記設置台を下向きにして高さ方向に積み重ねられることを特徴とする請求項４乃至８のいずれかに記載の空気調和機の包装装置。
【請求項１０】
前記空気調和機の前記下部側を覆う前記包装体に補強材を設けたことを特徴とする請求項１乃至９のいずれかに記載の空気調和機の包装装置。
【請求項１１】
前記空気調和機が設置された場合の上下方向を表す表示を前記包装箱に設けたことを特徴とする請求項１乃至１０のいずれかに記載の空気調和機の包装装置。
【発明の詳細な説明】
【技術分野】
【０００１】
この発明は、空気調和機の包装装置に関するものである。
【背景技術】
【０００２】
一般的に、空気調和機は、室内機、室外機ともに、包装装置により包装されて、倉入れ、出荷されている。特に、大型の空気調和機になると、室内機であっても重量が増し、重量物を包装方法が必要になってくる。
【０００３】
従来の重量物の包装装置は、被包装体に当てがい輸送・保管時の衝撃を吸収する緩衝材が上部および下部に内装された包装箱にて、段ボールパレットに載置された被包装体を上側から覆うようにして、段ボールパレットに包装箱を取り付け包装している（例えば、特許文献１参照）。
このような包装装置により、輸送・保管時の衝撃を吸収するとともに、倉庫内での運搬および取り扱いを容易にしている。しかしながら、製品によっては、積載方法や積載方向が決められているものがあり、製品を輸送・保管する場合には、注意が必要である。
【０００４】
製品を置く方向が決められているものとして、重量が大きなものではないが複数枚の基板を搬送や一時保管し製造装置や検査装置のカセット支持台にセットする基板用カセットがある。基板用カセットは上下逆転させて製造装置や検査装置にセットしても、基板用カセットがローディングあるいはアンローディングできないので、製造装置による組立や検査装置による検査ができない。そのため、基板用カセットを上下間違いなくセットするため基板用カセットの上面フレームの外側に凸部を設け、基板カセットが上下逆転してセットできないようにしたものもある（例えば、特許文献２参照）。
しかしながら、基板は重量が軽いものであり、基板用カセットは内部の基板を出し入れするため、６面すべての方向を覆い隠して、被包装体が外部に飛び出さないようにしているものではない。すなわち、基板用カセットは、内部の基板を常に確認できるものである。また、上下方向を逆転させて取り扱っても内部の基板を損傷させるものではなく、上下方向を逆転させてカセット支持台にセットされないように考慮すればよいものである。よって、内部の基板を損傷するので基板用カセットのいずれかの面を下向きに置くことを禁止したものではない。
【先行技術文献】
【特許文献】
【０００５】
【特許文献１】特開平１１−３０１７４０号公報（第３−４頁、第１図）
【特許文献２】特開平１１−１２１６０４号公報（第２−３頁、第１図）
【発明の概要】
【発明が解決しようとする課題】
【０００６】
空気調和機のような重量があるものは、その構成物のうち、重量の大きいものは下方へ偏っている、すなわち、空気調和機の下方に重心がある場合が多い。これに対して、従来の包装装置では、段ボールパレットの上に載置された被包装体を緩衝材が内装された包装箱で上側から下方の段ボールパレットまで覆うように取り付け包装されているので、被包装体の姿は外側からは梱包の塗装や刻印からしか判断出来ない。そのため、梱包の塗装や刻印を見ない場合は指定された正規倒置方法と異なる置き方をされる可能性があった。すなわち、被包装体の上下方向が把握できない。また、空気調和機のように略直方体の筐体を持つ機器の場合、包装箱の上下・左右各面は平坦な面となっているので、どの面を下向きにしても置くことができる。よって、被包装体の上下方向を逆転させ倒置すると、被包装体の重心バランスによって転倒しやすくなり、転倒によって筐体に打痕が出来るものが散見されるという課題があった。
また、包装装置を上下方向逆転して倒置することを避けるため外装面の上面の外側に凸部を設けたとしても、凸部を設けた外装面が広い場合は凸部の高さだけ傾いて置くことができたり、空気調和機の重量で凸部がつぶれたりして、包装装置を床等に置いた場合、傾きに気が付かないという課題があった。また、包装装置を搬送する場合は、パレットに複数積載して搬送するが、包装装置の上面に凸部を設けると凸部が邪魔となって、包装装置の上に別の包装装置を積み重ね搬送や保管ができないという課題があった。
【０００７】
この発明は、上記のような課題を解決するためになされたもので、通常運転される状態では縦長形状の筐体の長手方向を上下方向に設置し重心が下方にある空気調和機を包装された状態で倒置されないようにした空気調和機の包装装置を得ることが目的である。
【課題を解決するための手段】
【０００８】
この発明に係る空気調和機の包装装置は、縦長形状の空気調和機の上部側の包装体に包装体より外部に突出させた突出部を設けたものである。
【発明の効果】
【０００９】
この発明の空気調和機の包装装置は、縦長形状の空気調和機の上部側の包装体に包装体より外部に突出させた突出部を設けたので、通常運転される状態では縦長形状の筐体の長手方向を上下方向に設置し重心が下方にある空気調和機を包装された状態で倒置されないようにした空気調和機の包装装置を得ることができる。
【図面の簡単な説明】
【００１０】
【図１】本発明の実施の形態１に係る空気調和機の包装装置の斜視図である。
【図２】本発明の実施の形態１に係る空気調和機の包装装置の設置台の詳細説明図である。
【図３】本発明の実施の形態１に係る空気調和機の包装装置の組立図である。
【図４】本発明の実施の形態１に係る空気調和機の包装装置の横置状態図である。
【図５】本発明の実施の形態１に係る包装装置の積載状態を表す図である。
【図６】本発明の実施の形態１に係る空気調和機の包装装置の縦置状態図である。
【図７】本発明の実施の形態１に係る包装装置に包装される空気調和機の概観図である。
【図８】本発明の実施の形態１に係る包装装置に包装される空気調和機の概観図である。
【図９】本発明の実施の形態１に係る包装装置に包装される空気調和機の内部構造図である。
【図１０】本発明の実施の形態１に係る包装装置の設置台の詳細図である。
【図１１】本発明の実施の形態１に係る包装装置を縦置状態にて倒置したときの説明図である。
【図１２】本発明の実施の形態１に係る空気調和機の包装装置の別角度からの斜視図である。
【図１３】本発明の実施の形態１に係る空気調和機の包装装置の別角度からの斜視図である。
【図１４】本発明の実施の形態１に係る包装装置の設置台の別例の詳細図である。
【図１５】本発明の実施の形態１に係る包装装置の設置台の別例の詳細図である。
【図１６】本発明の実施の形態１に係る包装装置の設置台の別例の詳細図である。
【図１７】本発明の実施の形態１に係る包装装置の設置台の別例の詳細図である。
【図１８】本発明の実施の形態２に係る包装装置の設置台の詳細図である。
【図１９】本発明の実施の形態２に係る包装装置の積載状態を表す図である。
【図２０】本発明の実施の形態３に係る包装装置の設置台の詳細図である。
【図２１】本発明の実施の形態３に係る包装装置の積載状態を表す図である。
【発明を実施するための形態】
【００１１】
実施の形態１．
一般的に、部屋を空調するセパレート形空気調和機は、室内機と室外機に分かれている。室内機は部屋の中に、室外機は屋外にそれぞれ設置される。室内機には室内機の冷媒回路が、室外機には室外機の冷媒回路が備えられており、これらの冷媒回路を延長配管にて接続し、冷媒が循環するひとつの環状の冷媒回路を構成することで、空気調和機として構成される。この冷媒回路を循環する冷媒が室内機を設置した部屋および室外機を設置した屋外の空気と熱交換して、部屋の冷暖房などの空調を行う。このような空気調和機において、床置き型の室内機は、略直方体の縦長の形状をしており、これを包装する包装装置も長手方向を有する略直方体の形状をしている。この包装装置について説明する。
【００１２】
図１は包装装置に空気調和機の室内機を収めた状態で梱包装置の外装である包装箱を外したときの斜視図である。図のように包装装置は、被包装体である空気調和機の室内機本体２を外側から包装体が覆う形で構成されている。また、包装体は、設置台３、緩衝材４〜９、フレーム１０、包装箱１１から構成されている。また、室内機本体２を包装するため、包装装置も上面、下面、左右側面、正面、背面の６面で囲まれた略直方体をしている。
【００１３】
図１において、３は包装装置１の基礎となる設置台であって、例えば木材で構成され空気調和機の室内機本体２を載置する部分である。
図２は、設置台３の斜視図であって、被包装物すなわち空気調和機の室内機本体２が載置される上面デッキ３ａと、設置台３を倉庫の床や地上に置いたとき床面や地上面などに直接接触する下面デッキ３ｂと、上面デッキ３ａおよび下面デッキ３ｂとの間に隙間が作られるように、この２つのデッキをつなげ上面デッキ３ａを支える複数のけた材３ｃとによって構成されている。上面デッキ３ａは、複数の長い板状部材３ｄと板状部材３ｄの上に設けられた上面板材３ｅで構成されている。この上面板材３ｅは、板状部材３ｄの一部を覆うように板状部材３ｄに固定され被包装物が安定に置くことができる載置面を形成している。また、下面デッキ３ｂも、同様に複数の長い板状部材３ｆで構成されている。
複数の板状部材３ｄは長手方向が略平行になるように並べられるとともに、板状部材３ｄの長手方向と略直角に設けられたけた材３ｃに固定され上面デッキ３ａを構成している。同様に、複数の板状部材３ｆも長手方向が略平行になるように並べられるとともに、板状部材３ｆの長手方向と略直角に設けられたけた材３ｃに固定され下面デッキ３ｂを構成されている。また、板状部材３ｄと３ｆとはけた材３ｃにてつなぎ合わされているとともに、けた材３ｃを介して、略平行に配置されている。すなわち、上面デッキ３ａおよび下面デッキ３ｂは複数の板状部材を略平行に並べ、これと直角方向に設けられた渡り材であるけた材３ｃに固定しデッキ面を形成している。また、その２つのデッキ面はけた材３ｃを介して略平行に形成されている。さらに、上面デッキ３ａは上面板材３ｅを取り付け被包装物が安定に置くことができる載置面を形成している。
【００１４】
複数のけた材３ｃは上面デッキ３ａおよび下面デッキ３ｂの間に隙間を形成するとともに、上面デッキ３ａおよび下面デッキ３ｂの間の隙間と連通する差込口３ｇを形成する。すなわち、差込口３ｇは、板状部材３ｄあるいは３ｆの長手方向と略直角に設けられており、フォークリフトによる搬送時に、フォークリフトの爪を差込み、被包装物を設置台３ごと持ち上げ、搬送できるにようしている。また、けた材３ｃの高さ分、包装装置１を載置する床面や地上面より高い位置に被包装物を載置できるので、被包装物は汚れにくく、床面や地上面から伝わる衝撃などもけた材３ｃが緩和している。
また、設置台３の差込口３ｇが設けられた面と直角を成す面、すなわち板状部材３ｄの長手方向の端面側に、けた材３ｃの長手方向と平行に、左側面板材３ｈ、右側面板材３ｊが取り付けられている。
なお、上面板材３ｅと左側面板材３ｈは接触しておらず、間に左開口部３ｋが形成されている。同様に、上面板材３ｅと右側面板材３ｊも接触しておらず、間に右開口部３ｍが形成されている。
【００１５】
なお、空気調和機の室内機本体２は、室内機本体２の長手方向を縦向きにして設置する設置・使用時と異なり、包装時には図１のように設置台３に室内機本体２の長手方向を横向きにして載置する。よって、室内機本体２の設置時に上部となる部分は包装時には設置台３に対して左側に配置され、室内機本体２の設置時に下部となる部分は包装時には設置台３に対して右側に配置されるように載置される。また、室内機本体２の設置時に左側面部となる部分は包装時の下側すなわち設置台３側、室内機本体２の設置時に右側面部となる部分は包装時の上側になるように載置される。なお、左側面部を上側に、右側面部を下側に載置しても構わないし、左側面部、右側面部の代わりに室内機本体２の前面部、背面部であっても構わない。
なお、包装前に空気調和機の室内機本体２のチェックを行う際、身長の高い低いに関わらず誰でも行えるように、設置台３には長手方向を横向きに載置し包装を行う。
また、包装装置１は横長の直方体とすることで、包装装置１の上部に別の包装装置を積み重ねることができ、保管・搬送が効率よく行える利点もある。
【００１６】
この設置台３には、空気調和機の室内機本体２を載せ保持するとともに、搬送時に設置台３から空気調和機の室内機本体２へ伝わる衝撃、振動を緩和・吸収する左側下部緩衝材４と右側下部緩衝材５、および中央下部緩衝材６が取り付けられている。左側下部緩衝材４は、左側面板材３ｈと上面板材３ｅによって形成された上面デッキ３ａの左開口部３ｋに嵌め込まれるとともに、左側下部緩衝材４の底面に設けられた２つの凸部４ａによって左開口部３ｋの中を通過する板状部材３ｄを挟持するように勘合することで設置台３に固定される。右側下部緩衝材５は、右側面板材３ｊと上面板材３ｅによって形成された上面デッキ３ａの右開口部３ｍに嵌め込まれるとともに、左側下部緩衝材５の底面に設けられた２つの凸部５ａによって左開口部３ｋの中を通過する板状部材３ｄを挟持するように勘合することで設置台３に固定される。中央下部緩衝材６は、上面板材３ｅに設けられた貫通穴３ｎに中央下部緩衝材６の底面に設けられた凸部６ａが勘合することで設置台３に固定される。このような構成にて、これら緩衝材は設置台３に取り付けられ、搬送時の衝撃振動を緩和するとともに、搬送時に空気調和機の室内機本体２が設置台３から外れたりすることも防止している。
【００１７】
また、空気調和機の室内機本体２の上部および下部には空気調和機の室内機本体２の角を覆うように左側緩衝材７と右側緩衝材８とが取り付けられている。なお、左側緩衝材７と右側緩衝材８は、それぞれ一つの緩衝材部品であっても、複数の緩衝材部品に分かれた構成であっても構わない。この左側緩衝材７と右側緩衝材８により、包装状態の空気調和機の室内機本体２に包装装置１の左右から伝わる衝撃、振動が緩和・吸収される。なお、左側緩衝材７および右側緩衝材８は、左側下部緩衝材４および右側下部緩衝材５に当接され左右の緩衝材部を形成する。この左右の緩衝材部によって被包装物である空気調和機の室内機本体２は設置台３上の所定の位置に導かれ載置される。そして、このような構成にて、設置台３上から伝わる衝撃や振動および左側緩衝材７、右側緩衝材８に直接加わる衝撃や振動が緩和、吸収される。なお、このとき、空気調和機の室内機本体２の中央部には中央下部緩衝材６が当接され、中央下部緩衝材６によっても設置台３上の所定の位置に導かれ載置されるとともに、設置台３上から伝わる衝撃や振動が緩和、吸収される。すなわち、空気調和機の室内機本体２は、その上部を左側緩衝材７と左側下部緩衝材４にて、その下部を右側緩衝材８と右側下部緩衝材５にて、その中央部を中央下部緩衝材６にて、伝達される衝撃や振動から保護されるとともに、左側下部緩衝材４、右側下部緩衝材５、中央下部緩衝材６にて設置台３上の所定の位置に載置される。
【００１８】
また、空気調和機の室内機本体２は、室内機本体２中央部の中央下部緩衝材６が当接された側と反対側、すなわち、空気調和機の室内機本体２の包装状態では上面側に上部緩衝材９が室内機本体２に当接された状態で取り付けられる。そして、上部緩衝材９は、包装状態の上面側からの衝撃、振動を左側緩衝材７と右側緩衝材８とともに緩和・吸収する。これら、左側緩衝材７、右側緩衝材８、中央下部緩衝材６は、フレーム１０により空気調和機の室内機本体２とともに設置台３に組み付けられ固定されている。
【００１９】
フレーム１０は、包装装置１の上面側、長手方向、横向きに設けられた板状部材１０ａ、１０ｂと、板状部材１０ａと１０ｂを上面側でつなぐ、板状部材１０ｃ、１０ｄ、１０ｅと、これらを上下方向に支える６本の柱１０ｆ〜１０ｋによって構成されている。なお、柱１０ｉ、１０ｋは図１に図示できないので、図３に図示する。板状部材１０ａは、空気調和機の室内機本体２の正面側であって、緩衝材７、８、９の上面に当接し押さえるように設けられている。同じく、板状部材１０ｂは、空気調和機の室内機本体２の背面側であって、緩衝材７、８、９の上面に当接し押さえるように設けられている。板状部材１０ｃは、左側緩衝材７の上面に当接し押さえるように設けられ板状部材１０ａ、１０ｂに接続されている。板状部材１０ｄは、右側緩衝材８の上面に当接し押さえるように設けられ板状部材１０ａ、１０ｂに接続されている。そして、板状部材１０ｅは、上部緩衝材９の上面に当接し押さえるように設けられ板状部材１０ａ、１０ｂに接続され、板状部材１０ａ〜１０ｅにてフレーム１０の上面部を構成している。柱１０ｆ、１０ｇは、フレーム１０の上面部を左側緩衝材７側で上下方向に支えるとともに左側緩衝材７が外れないように押さえるため、柱１０ｆは板状部材１０ａと１０ｃの接続部に、柱１０ｇは板状部材１０ｂと１０ｃの接続部に、それぞれ接続され支えている。柱１０ｈ、１０ｉも同様に、フレーム１０の上面部を右側緩衝材８側で上下方向に支えるとともに右側緩衝材８が外れないように押さえるため、柱１０ｈは板状部材１０ａと１０ｄの接続部に、柱１０ｉは板状部材１０ｂと１０ｄの接続部に、それぞれ接続され支えている。また、柱１０ｊ、１０ｋは、フレーム１０の上面部を上部緩衝材９の箇所で上下方向に支えるとともに上部緩衝材９が外れないように押さえるため、柱１０ｊは板状部材１０ａと、柱１０ｋは板状部材１０ｂと、それぞれ接続され支えている。
フレーム１０はこのような構成により、緩衝材７、８、９が、空気調和機の室内機本体２から外れないように押さえるとともに、緩衝材７、８が緩衝材４、５から外れないように押さえている。
なお、緩衝材４、５、６、７、８、９は、例えば、発泡スチロールなどで構成されており、フレーム１０は木材などで構成されている。緩衝材４、５、６、７、８、９は、大きな衝撃に対して変形して衝撃を吸収するが、被包装体の重量や外部からの応力などによっても変形するので、外周をフレーム１０などによって、補強し、包装装置１の形状が崩れないように支えている。
【００２０】
フレーム１０により設置台３上に緩衝材４、５、６、７、８、９を介して組み付けられた状態をさらに外部から覆うように包装箱１１が覆い構成される。包装箱１１は設置台３の上面デッキ部３ａまで達し、内部を覆い隠す。よって、略立方体の室内機本体２を包装するため、包装箱１１は上面と４方を取り囲む側面すなわち左右側面と前後面から形成されている。なお、略直方体の室内機本体２を包装する包装装置１は、設置台３が底面を構成して、６面を囲んでいる。なお、差込口３ｄは包装箱１１にて、覆われないので、包装箱１１にて包装後も、差込口３ｄにフォークリフトの爪を差し込んで搬送が可能である。これにより、空気調和機の室内機本体２は直接外界から触れられないようになるとともに、緩衝材４、５、６、７、８、９を固定するフレーム１０も、緩衝材から抜け落ちたり、設置台３から外れたりすることなく、固定される。なお、この包装箱１１は一般には段ボールシートを基材として形成されることが多い。
また、５面を段ボールで構成された包装箱１１、底面を木材で構成された設置台３で囲われた説明したが、側面の一部はなくても構わない。例えば、包装箱１１の正面や後面を構成する段ボールは面を構成しなくても、ビニールシート等のもので室内機本体２が覆われていることで、汚れなどの保護が可能なため、無くても構わない。
【００２１】
また、包装箱１１にて覆われた後、包装箱１１と設置台３とが外れないように包装箱１１と上からバンドで固定する。これによって、搬送時に包装箱１１が外れて包装装置１内の空気調和機の室内機本体２が露出したり、設置台３から外れて床に落下したりすることはない。
【００２２】
このような構成により、包装装置１は、搬送時に略直方体の空気調和機の室内機本体２のいずれの面から衝撃や振動が伝わっても、緩衝材４、５、６、７、８、９により、その衝撃や振動が吸収されるとともに、設置台３の差込口３ｄを利用しフォークリフト等にて簡単に搬送が可能である。また、これらの緩衝材４、５、６、７、８、９およびフレーム１０は包装装置１の上に別の包装装置を積載しても、十分な強度を有しているため、包装装置１を積み重ね保管したり、その積載した状態でフォークリフトにて搬送したりすることも可能である。
【００２３】
以上のような構成の包装装置１を組み立てるためには、図３のように、先ず、初めに、左側下部緩衝材４、右側下部緩衝材５、中央下部緩衝材６が取り付けられた設置台３をセットする。次に、空気調和機の室内機本体２の上部および下部を覆うように、左側緩衝材７と右側緩衝材８を取り付けられる。緩衝材７、８が取り付けられた空気調和機の室内機本体２は長手方向を横向きとし設置台３に取り付けられた左側下部緩衝材４、右側下部緩衝材５、中央下部緩衝材６を介して設置台３に載置する。このとき、左側緩衝材７は左側下部緩衝材４に、右側緩衝材８は右側下部緩衝材５に当接されることで、左右の緩衝材部が組み立てられ、設置台３に載置される。また、空気調和機の室内機本体２の中央部は中央下部緩衝材６に当接された状態に載置される。次に、空気調和機の室内機本体２の中央部に当接された中央下部緩衝材６側と反対側の中央部すなわち包装装置１の上部側に上部緩衝材９が取り付けられる。空気調和機の室内機本体２の中央部を中央下部緩衝材６と上部緩衝材９とで空気調和機の室内機本体２を包装時の横向きにセットした状態で上下方向すなわち設置時の左右方向に挟む形に取り付けられる。次に、取り付けられた緩衝材７、８、９にフレーム１０が外側から覆うように取り付けられる。すなわち、フレーム１０の柱１０ｆ、１０ｇは、左側緩衝材７に設けられた溝７ａに装着される形で当接され、左側緩衝材７と左側下部緩衝材４とで形成される隙間に、柱の先端がそれぞれ差し込まれて固定される。このとき、左側緩衝材７の上部に板状部材１０ａ、１０ｂ、１０ｃが当接され、左側緩衝材７を板状部材１０ａ、１０ｂ、１０ｃが上部から、柱１０ｆ、１０ｇが側方から、それぞれ押さえるように左側下部緩衝材４を介して設置台３に固定される。同様に、フレーム１０の柱１０ｈ、１０ｉは、右側緩衝材８に設けられた溝８ａに装着される形で当接され、右側緩衝材８と右側下部緩衝材５とで形成される隙間に柱の先端がそれぞれ差し込まれ固定される。このとき、右側緩衝材８の上部に板状部材１０ａ、１０ｂ、１０ｄが当接され、右側緩衝材８を板状部材１０ａ、１０ｂ、１０ｄが上部から、柱１０ｈ、１０ｉが側方から、それぞれ押さえるように右側下部緩衝材５を介して設置台３に固定される。また、フレームの中央部の柱１０ｊ、１０ｋは、上部緩衝材９に設けられた連通穴９ａを通過し、中央下部緩衝材６に設けられた連通穴６ｂにその先端が差し込まれ固定される。このとき、上部緩衝材９の上部に板状部材１０ａ、１０ｂ、１０ｅが当接され、上部緩衝材９を板状部材１０ａ、１０ｂ、１０ｅが上部から押さえ固定される。最後に、フレーム１０の外側から設置台３の上面デッキ３ａまで覆うように包装箱１１が被せられ、空気調和機の室内機本体３が包装される。そして、包装箱１１と設置台３とが外れないように包装箱１１の上からバンドにて固定される。
【００２４】
このように組み立てられた包装装置１は、略直方体のため、図４のように長手方向を横向きに置かれるとともに、包装装置１の上に別の包装装置を積載しても、十分な強度を有しているので、図５のように搬送用のパレットの上に縦横に複数個積載し搬送することができる。また、包装装置１の１台１台は設置台３を利用してフォークリフトにて搬送することが多いので、図４のように設置台３が下向きになるように置かれる。
しかしながら、フォークリフトなどを利用せず、人が１台１台運ぶ場合には、設置台３が下向きになる方向、すなわち、包装装置１の長手方向が横向きの状態で運ぶと扱いづらいため、包装装置１の長手方向を縦向きになるような状態にて運び、図４のように横向きに載置する。しかしながら、まれに、図６のように縦向きに載置してしまうことがある。縦向きに載置した場合、包装された空気調和機の室内機本体２の重心が不安定であるとともに、包装装置１の左右の緩衝材で構成された面は載置される面としては強度の点で弱く、立設できても不安定なので、転倒する恐れがある。
【００２５】
空気調和機の室内機本体２について説明する。図７、８は室内機と室外機とに分かれたセパレート形の空気調和機の床置き型の室内機本体２の概観図であり、略直方体の縦長の形状をしており、室内床面に室内機本体２を立設して使用するものである。そして、屋外に設置される図示しない室外機と延長配管で接続され、室内機と室外機との間で冷媒を循環させて、空調を行うものである。
図７のように室内機本体２の前面側、側面下方に筐体内へ空気を吸い込む吸込口１５があり、吸込口１５から吸い込んだ空気は、吹出口から筐体外へ吹き出される。図７は、空調停止時の場合であり、吹出口１６は筐体上部にある可動パネル１７にて覆い隠されているが、運転中は図８のように可動パネル１７が下方にスライドし、吹出口１６が現れるようになっている。可動パネル１７は本体正面の正面パネル１８内に収納されている。
図９は、室内機本体２の正面パネル１８と右側面部を取り外した図である。室内機本体２の筐体内下方に送風機１９が備えられている。送風機１９は、ファンモータ２０と、ファンモータ２０に接続されたファン２１によって構成されており、ファン２１の外周には、ファン２１が回転して引き起こされる気流を整流し、筐体の上方に導く、ケーシング２２が備えられている。送風機１９は、このような構成により、吸込口１５を介してファン２１の正面側から空気を吸い込み、ファン２１の外周にその空気を気流として導く。ファン２１の外周に備えられたケーシング２２はファン２１によって導かれた空気を整流した気流とし、筐体の上方に送る。送風機１９の上方すなわち吸込口１５から吸い込まれた空気がケーシング２２を介して送られた先には、内部を冷媒が流れる熱交換器２３が備えられている。吸込口１５から吸い込まれた空気はこの熱交換器２３を通過し吹出口１６から筐体外に吹き出されるが、このとき、熱交換器２３を流れる冷媒と熱交換される。この熱交換により吸い込んだ室内の空気を加熱あるいは冷却し室内の冷暖房空調を行う。
【００２６】
熱交換器２３は、冷媒を循環させる配管と接続されており、その配管には室内機本体２の下方に設けられている図示しない接続口が接続されている。接続口には、屋外に設置された室外機と接続する延長配管が接続される。延長配管は室内機本体２の側面等から筐体外に取り出され、屋外へと導かれる。延長配管を介して室内機本体２と接続される室外機は、熱交換器、圧縮機、膨張弁などを備え、これらと室内機本体２の熱交換器２３が、配管により接続され内部を冷媒が循環する冷媒回路が構成される。冷媒回路では、室外機の熱交換器で屋外の外気と熱交換し吸熱した冷媒が室内機の熱交換器２３にて室内の空気と熱交換し室内の空気を加熱し暖房を行う。同様に、室内機の熱交換器にて空気と熱交換し吸熱した冷媒が室外機の熱交換器で外気と熱交換し放熱することで、室内の空気を冷却し冷房運転を行う。なお、冷房運転と暖房運転とは室外機に設けられた四方弁にて冷媒の循環方向を切替えることで実現している。
【００２７】
以上のような構成と仕組みにより、空気調和機の室内機本体２は空調を行うが、主要な構成部品である熱交換器２３は筐体の中央部から上部にかけて、送風機１９は下方に配置されている。その中でも、熱交換器２３は冷媒を流す銅管とアルミでできたフィンで構成されることにより比較的軽量であるが、送風機１９とケーシング２２は送風を静かにかつ安定した風量を得るため、比較的堅牢に作られており重量が大きな部品である。よって、室内機本体２の重心も、縦長の筐体の下方に形成される。また、地震などの揺れに対しても室内機本体２の重心を安定させ、転倒を防止するために、縦長の筐体の下方に重心が形成されていることが望ましく、そのように設計されている。また、これら重量が大きな構成部品は、室内機本体２の取り付け構造においても、室内機本体２の設置時の重力方向（下方の本体床面側）の強度は強化され、室内機本体２の重力方向にゆれや振動による応力が発生しても筐体が十分耐えうるような構造となっている。
【００２８】
しかしながら、空気調和機の室内機本体２は上下方向を逆に倒置した場合には、縦長の筐体の上方に重心があるため、立設しても不安定であり、ある程度の振動で転倒する恐れがある。また、室内機本体２は転倒により与えられる打撃の応力に耐えうる仕様には至っておらず、転倒した場合の強度は不十分であり、転倒した場合、筐体が歪んだり、破損や打痕が生じたりする恐れがある。室内機本体２が転倒により歪みや破損まで至らなくても、冷媒回路や送風機１９のケーシング２２等の風路が歪み十分な能力を出さなかったり、騒音の原因を作ったりする可能性がある。
【００２９】
これは包装された状態でも、同様であり、倉庫内で荷積み、荷下ろしのとき、一時的に人の手によって長手方向を縦向きに、かつ、室内機本体２の上下方向を逆に載置してしまった場合、重心が上方にあり、立設には不安定で、ある程度の振動で転倒する恐れがある。また、包装装置１の左右の緩衝材で構成された面は載置される面としては梱包強度が弱く、室内機本体２の自重や応力によって、転倒しやすくなる。また、室内機本体２の上下方向を逆に載置した場合、重心位置の上昇により底面の梱包が不安定となり、転倒しやすくなる。転倒によって、室内機本体２の筐体に無理な応力がかかり、筐体が歪んだり、破損したりする可能性が大きい。特に、包装箱１１の外装面からは室内機本体２の上下方向が梱包の塗装や刻印からしか判断できず、塗装や刻印を無視して上下方向を逆に載置されることが散見される。
そこで、例え、包装装置１が縦向きに載置されることがあっても、室内機本体２の上部を下向きに載置されることのないようにする必要がある。
【００３０】
そのために、図１および図２の包装装置１において、室内機本体２の上部が載置される左側に突出部を設け、左側を下方に載置された場合には水平が保てず転倒するようにし、載置できないようにする。
なお、突出部の総接地面積は、突出部だけで包装装置１を支持し立設できない面積にて形成される。また、突出部が、複数、設けられる場合は、複数の突出部が略直線上に配置されることで、包装装置１を支持し立設することができないようにすることができる。また、突出部は、突出部を設けた面とその周囲壁のうちの１面あるいは隣り合う２面の近傍、例えば、略直方体の場合、上面と４つの側面のうちの１面あるいは隣り合う２面の近傍に設けることによって、包装装置１は立設することができないようにすることができる。このような構成とすることで、突出部により載置できないようできる。
【００３１】
例えば、図１０は図２の設置台３の上面と側面から見た図であるが、下面デッキ３ｂを構成する板状部材３ｆを左側面板材３ｈより延出させ、包装装置１における突出部３ｐを形成させている。すなわち、下面デッキ３ｂを構成する板状部材３ｆを３１、３２、３３のように上面デッキ３ａを構成する板状部材３ｄより長くするとともに、設置台３の左側面より突出させて配置する。
【００３２】
この包装装置１の左側面に設けた突出部３ｐは、仮に包装装置１を左側面が下向きに載置しようしたとき、図１１（ａ）のように傾きを生じさせ自立した立設ができないようにする。さらに、左側緩衝材７が室内機本体２の自重で変形するため傾きは大きくなる。そのため、上下方向が誤って載置しようとしていることを作業者に気付かせることができ、室内機本体２の上部を下向きに載置され、転倒することが未然に防ぐことができる。
また、包装装置１の左側面に突出部３ｐが設けられているだけなので、通常の横向きの積載を行っても、縦方向の荷積みに特に支障はない。横方向に整列させる点についても、支障はなく、従来通りの搬送と保管が効率的にできる。
【００３３】
なお、包装箱１１の表面には包装装置１を縦置きする場合の上下方向指定表示を設け、突出部３ｐによって立設できないこと、上下方向が誤って載置しようとしていることを作業者に知らせる。
【００３４】
また、突出部３ｐは板状部材３ｆを延出して構成されているため、強度にも優れ、包装装置１を左側面が下向きに載置したとき、突出部３ｐが変形したり、破損したりすることはなく、必ず、傾きを持つようにできる。
【００３５】
なお、突出部３ｐの突出される長さは、包装装置１を縦向きに載置した場合、自立して立設を維持できない程度の長さを有すれば良い。例えば、図１１（ｃ）は、包装装置１が直立している場合であるが、重心Ｇから鉛直方向すなわち床面に向かって自重がかかっている状態であり、この状態では、転倒はしない。これに対して、図１１（ａ）（ｂ）のように傾いている場合、重心Ｇから鉛直方向に下ろされた自重がかかる方向が、図１１（ｂ）のように包装装置１の底面すなわち図中のＡからＢの範囲内である場合は、自立し転倒はしない。重心Ｇから鉛直方向に下ろされた自重がかかる方向が、図１１（ａ）にように包装装置１の底面であるＡからＢの範囲を外れる場合は、自立できず矢印Ｃの方向に倒れるようになる。したがって、包装装置１を縦向きに載置し、その重心から鉛直方向にかかる自重の方向が、包装装置１が床面と接触している範囲から外れた範囲に向くように、突出部３ｐの突出される長さを決める。これにより、包装装置１は縦向きに載置した場合、突出部３ｐを有する面を下向きに載置できないようにすることが可能である。
【００３６】
一方、包装装置１を右側面が下向きに載置したとき、被包装体の重量に対して立設し続けることは可能だが、梱包強度が弱く、不安定となって包装装置１が傾き転倒する恐れがある。このため、図１２、図１３のように載置される面側すなわち包装装置１の右側面に補強材を追加している。補強材４１は、フレーム１０を構成する柱１０ｈに沿うように設けられ、板状部材１０ａに固定されている。補強材４２は、フレーム１０を構成する柱１０ｉに沿うように設けられ、板状部材１０ｂに固定されている。補強材４３は、板状部材１０ａと１０ｂとの間に、板状部材１０ａと１０ｂとを接続している板状部材１０ｄを上から覆い固定されている。なお、補強材４１、４２、４３はフレーム１０と同様、木材などから構成される。
これによって、包装装置１を右側面が下向きに載置したとき、補強材４１、４２、４３によって、緩衝材に関係なく底面が構成され、被包装体の重量や衝撃に対して変形することはないので底面は水平を保つことができ、包装装置１が傾き転倒する恐れがなくなる。
【００３７】
なお、図２の突出部３ｐは設置台３と一体となるように形成されているが、必ずしも、一体である必要はなく、図１４のように別体にて設けても構わない。例えば、図１４は設置台３の上面と側面から見た図であるが、図のように板状部材３ｆの間に別の板状部材３４、３５を設けて突出部３ｐを構成しても構わない。このように突出部３ｐが別体で取り付けられるようにすれば、簡単な改造で従来からある設置台３を利用して、包装装置１の縦向きに載置したときの倒置を防止することができる。
【００３８】
また、突出部３ｐはかならずしも、３１、３２、３３の板状部材のように３列必要なく、図１５のように少なくとも１列延出されているだけでも構わない。これでも、突出部が形成され立設でき無くできる。よって、延出された板状部材を余分に配置摺ることなく効率的配置に利用できる。
【００３９】
また、突出部３ｐを３列突出させる場合も、すべて同じ長さである必要はない。すなわち、図１６のように板状部材３１、３２、３３の突出される長さが違っていても、突出部は形成され立設でき無くできる。すなわち、板状部材の正確な寸法設計が無くても実現可能である。
【００４０】
また、突出部３ｐは、図１７のように上面デッキ３ａを構成する板状部材３ｄを左側面板材３ｈより延出させ形成させても構わない。また、その場合、延出させる板状部材３ｄの長さ、数なども、板状部材３ｆを延出させる場合同様である。さらに、突出部３ｐは、上面デッキ３ａを構成する板状部材３ｄと下面デッキ３ｂを構成する板状部材３ｆの両方とも延出させて構成しても構わない。
【００４１】
以上により、包装装置１は、包装装置１の底面とすることを禁止した包装面すなわち室内機本体２の上部が設置台３に載置されている左側面に室内機本体２の長手方向に突き出された突出部を設けたので、室内機本体２の上部を下向きになるように包装装置１を載置しようとした場合、突出部によって自立・立設できず上下方向が逆となっていることを転倒する前に作業者に気付かせることができる。また、室内機本体２の上部を上向きに載置したとしても、包装装置１の床面に載置される面すなわち室内機本体２の下部が設置台３に載置されている右側面は変形することなく、水平を保つことができる。これによって、包装装置１を一時的に縦向きに載置されたとしても所定の方向を上向きに載置されるので、傾き転倒する恐れがない。さらに、通常の横向きの載置に対しても、設置台３に設けた突出部が邪魔となって、高さ方向に包装装置１を積み重ねることができないということはなく、従来同様の効率的な搬送と保管が可能である。
なお、セパレート形の空気調和機の室内機の包装装置についてのみ、説明してきたが、これは、室外機の包装装置に使用しても構わない。さらに、セパレート形ではない室内外一体型の空気調和機の包装装置についても使用して構わないし、床置き型にて説明してきたが、それ以外でも、重心に偏りがある空気調和機において、本発明を適用し、重心が上方なるような載置を防止することができる。
【００４２】
実施の形態２．
実施の形態１では、横長の包装装置を縦向きに立設しようとした場合、所定の包装面を底面として載置できないようにした例について説明したが、通常の横向きに載置した場合、高さ方向すなわち縦方向に積み重ねた荷積みには問題ないが、横方向に整列させた荷積みには突出部が邪魔で積載効率が悪くなる可能性がある。よって、この突出部の形状を変え、積載効率を改善した例について説明する。
【００４３】
図１８は、設置台３の突出部３ｐすなわち板状部材３１、３２、３３の延出される長さを変えたものである。板状部材３１の延出される長さをＬとすると、板状部材３２は、長さＬの１／２とする。また、板状部材３３は、長さ０であっても良い。板状部材３１の延出される長さをＬは、包装装置１を転倒させる十分な長さとする。これによって、包装装置１を縦向きに載置した場合、上下方向を逆転し載置させると、突出部３ｐによって立設できない。
【００４４】
一方、横向きに載置・積載した場合、高さ方向に荷積みしても突出部３ｐが邪魔になることはない。これに対して、図１９（ａ）のように横方向に整列させて積載した場合、突出部３ｐが外を向いている場合には、支障はない。突出部３ｐどうしを突き合わせた方向に整列させると、突出部分だけ保管スペースに余分なスペースが必要になるが、図１８に示す突出部３ｐの形状の場合、突出部３ｐどうしを突き合わせても、図１９（ｂ）のように突出部３ｐが重なり合い、余分なスペースを縮小できる。すなわち、突出部３ｐの板状部材３１と突出部３ｐ’の３３’、突出部３ｐの３２と突出部３ｐ’の３２’、突出部３ｐの３３と突出部３ｐ’の３１’、それぞれと突き合わされるので、包装装置１の２台の長さに対して突出部３ｐの長さＬ分の余分スペースで保管が可能である。
【００４５】
なお、板状部材３１のみの延出でも、同じ状態は実現可能である。また、板状部材３１、３２、３３の順に延出される長さが短くなる説明をしたが、これは、板状部材３３、３２、３１の順に延出される長さが短くなっても問題はない。
【００４６】
以上により、横長の包装装置１は、縦向きに立設されても、底面とすることを禁止した包装面に設けられた突出部によって、その包装面を底面として載置できないようにするとともに、正常の横向きの載置に対しても、設けられた突出部どうしを突き合せた状態で省スペースにて保管可能であるので、従来と同様に縦方向の積み重ねと横方向の整列のいずれの方向の荷積みにも支障はなく、効率的な搬送と保管が可能である。
【００４７】
実施の形態３．
実施の形態２同様、包装装置の縦向きの載置に対して、上下方向を逆転し載置させない突出部を設けながら、通常の横向きに載置した場合の積載効率を改善する、別の例について説明する。
【００４８】
図２０は、設置台３の板状部材３ｆを延出させず、別体で突出部３ｐを形成する板状部材３６を設けたものである。板状部材３６は左側面板材３ｈに蝶番３７で固定され、室内機本体２の上部が下方となるように包装装置１を倒置した場合には、図２０（ａ）のように突出部３ｐとして形成されるが、包装装置１を室内機本体２の上部が上方となるように載置した場合には、図２０（ｂ）のように板状部材３６は折りたたまれる。また、包装装置１を横置きとした場合も同様に、板状部材３６は折りたたまれる。これによって、必要な時だけ、突出部３ｐが現われるようになる。
したがって、横向きに載置・積載した場合、縦方向に積み重ねるとともに横方向に整列させた荷積みをしても突出部３ｐが邪魔になることはなく、図２１のように整列させて積載可能である。
【００４９】
また、突出部３ｐは設置台３に収納される構造でもよく、同様に、室内機本体２の上部が下方となるように包装装置１を倒置した場合には、突出部３ｐが自重で設置台の中から出現し倒置を防止するとともに、包装装置１を室内機本体２の上部が上方となるように載置した場合には、設置台３の中に収納されるようにする。これによって、包装装置１を横向きに載置・積載した場合、縦方向に積み重ねるとともに横方向に整列させた荷積みをしても突出部３ｐが邪魔になることはなく、図２１のように整列させて積載可能である。
【００５０】
これによって、横長の包装装置１は、縦向きに立設されても、底面とすることを禁止した包装面に設けられた突出部によって、その包装面を底面として載置できないようにするとともに、正常な横向きの載置に対しても、設けられた突出部が折りたたまれた状態あるいは収納された状態で省スペースにて保管できるので、縦方向に積み重ねるとともに横方向に整列させた荷積みができ、効率的な搬送と保管が可能である。
【符号の説明】
【００５１】
１  包装装置
２  室内機本体
３  設置台
３ａ  上面デッキ
３ｂ  下面デッキ
３ｃ  けた材
３ｄ  上面板状部材
３ｅ  上面板材
３ｆ  下面板状部材
３ｇ  差込口
３ｈ  左側面板材
３ｊ  右側面板材
３ｋ  左開口部
３ｍ  右開口部
３ｎ  貫通穴
４  左側下部緩衝材
４ａ  凸部
５  右側下部緩衝材
５ａ  凸部
６  中央下部緩衝材
６ａ  凸部
６ｂ  貫通穴
７  左側緩衝材
７ａ  溝
８  右側緩衝材
８ａ  溝
９  上部緩衝材
９ａ  貫通穴
１０  フレーム
１０ａ〜１０ｅ  フレーム上部板状部材
１０ｆ〜１０ｋ  フレーム柱
１１  包装箱
１５  吸込口
１６  吹出口
１７  可動パネル
１８  正面パネル
１９  送風機
２０  モータ
２１  ファン
２２  ケーシング
２３  熱交換器
３１  下面板状部材１
３２  下面板状部材２
３３  下面板状部材３
３４  下面板状部材４
３５  下面板状部材５
３６  下面板状部材６
３７  蝶番
４１  フレーム補強材１
４２  フレーム補強材２
４３  フレーム補強材３
【図１】
0005516476.tif 000002
【図２】
0005516476.tif 000003
【図３】
0005516476.tif 000004
【図４】
0005516476.tif 000005
【図５】
0005516476.tif 000006
【図６】
0005516476.tif 000007
【図７】
0005516476.tif 000008
【図８】
0005516476.tif 000009
【図９】
0005516476.tif 000010
【図１０】
0005516476.tif 000011
【図１１】
0005516476.tif 000012
【図１２】
0005516476.tif 000013
【図１３】
0005516476.tif 000014
【図１４】
0005516476.tif 000015
【図１５】
0005516476.tif 000016
【図１６】
0005516476.tif 000017
【図１７】
0005516476.tif 000018
【図１８】
0005516476.tif 000019
【図１９】
0005516476.tif 000020
【図２０】
0005516476.tif 000021
【図２１】
0005516476.tif 000022